(57)【要約】    【解決手段】  本発明は、収納容器本体の外面に文字，図柄等の表示部が形成されるゴルフボール収納容器において、一面にインク受容層が形成された透明フィルムの該インク受容層上に上記表示部を左右反転させた逆画像をインクジェットプリンタにより印刷し、次いで、上記透明フィルムのインク受容層側の面と上記収納容器本体の外面とを接着することにより、上記表示部が上記透明フィルムにより被覆された状態で上記収容本体の外面に形成されることを特徴とするゴルフボール収納容器を提供する。    【効果】  本発明のゴルフボール収納容器によれば、収納容器本体の外面に対して需要が少ない個性向けの文字，図柄等の表示部を簡単かつ迅速に印刷することができ、かかる作業コストが安価なものであり、所望の表示部が表示されたゴルフボール収納容器は高品質なものである。【選択図】      図４
2006082860.tif 000002
【特許請求の範囲】
【請求項１】
収納容器本体の外面に文字，図柄等の表示部が形成されるゴルフボール収納容器において、一面にインク受容層が形成された透明フィルムの該インク受容層上に上記表示部を左右反転させた逆画像をインクジェットプリンタにより印刷し、次いで、上記透明フィルムのインク受容層側の面と上記収納容器本体の外面とを接着することにより、上記表示部が上記透明フィルムにより被覆された状態で上記収容本体の外面に形成されることを特徴とするゴルフボール収納容器。
【請求項２】
上記ゴルフボール収納容器が紙材からなる箱状又は筒状である請求項１記載のゴルフボール収納容器。
【請求項３】
上記インクジェットプリンタに用いられるインクが顔料インクである請求項１又は２記載のゴルフボール収納容器。
【請求項４】
上記インク受容層が単層又は複数層の吸水性フィルムからなる請求項１〜３のいずれか１項記載のゴルフボール収納容器。
【請求項５】
上記インク受容層の基材がポリエチレンテレフタレートである請求項４記載のゴルフボール収納容器。
【請求項６】
両面が粘着性を有する透明シートの一面側に上記透明フィルムのインク受容層側の面を貼着すると共に、上記透明シートの他面側に上記収納容器本体の外面を貼着することにより、上記透明フィルムのインク受容層側の面と上記収納容器本体の外面とを上記透明シートを介在して接着する請求項１〜５のいずれか１項記載のゴルフボール収納容器。
【発明の詳細な説明】
【技術分野】
【０００１】
本発明は、ゴルフボール収納容器の表面に文字，図柄等の表示部を印刷したゴルフボール収納容器に関するものである。
【背景技術】
【０００２】
通常、ゴルフボール箱の表面には、所望の名前や図柄等の表示部が印刷されている。この表示部の印刷作業は、多量の印刷物を連続的かつ円滑に印刷するものではあるが、最近では、個性重視を基調とする商品価値のニーズに応じ、需要者の個性に応じた所望の表示部が印刷されたゴルフボール用箱を少量提供することもゴルフボール製造・販売業者においては重要である。
【０００３】
しかしながら、大量に印刷物を印刷する従来の方式では、オンデマンドの要求に応えようとした場合、製版などの諸費用が少量の箱に配分されることから非常に高価なものとなってしまう不都合がある。その逆に簡易な方式で表示部を印刷したゴルフボール用箱では品質が良好なものとは言えず、不十分なものであった。特に、品質を向上させようとすると保護コーティング等の作業労力を要することとなり、作業コスト高となってしまう。
【発明の開示】
【発明が解決しようとする課題】
【０００４】
本発明は、上記事情に鑑みなされたものであり、少数のゴルフボール用箱等の収納容器に対しても製作コストを安価にでき、かつ高品質なゴルフボール収納容器を提供することを目的とする。
【課題を解決するための手段】
【０００５】
本発明者は、上記目的を達成するために鋭意検討を重ねた結果、ゴルフボール用箱等のゴルフボール収納容器の収納容器本体の外面に、需要者の望む表示部を形成する場合に、一面にインク受容層が形成された透明フィルムの該インク受容層上に上記表示部を左右反転させた逆画像をインクジェットプリンタにより印刷し、次いで、上記透明フィルムのインク受容層側の面と上記収納容器本体の外面とを接着することにより、上記表示部を上記透明フィルムにより被覆して上記収容本体の外面に形成したゴルフボール収納容器を作製した。このゴルフボール収納容器は、高品質なものであり、かつ製作コストを安価にすることができ、本発明をなすに至ったものである。
【０００６】
従って、本発明は、下記のゴルフボール収納容器を提供する。
〔１〕収納容器本体の外面に文字，図柄等の表示部が形成されるゴルフボール収納容器において、一面にインク受容層が形成された透明フィルムの該インク受容層上に上記表示部を左右反転させた逆画像をインクジェットプリンタにより印刷し、次いで、上記透明フィルムのインク受容層側の面と上記収納容器本体の外面とを接着することにより、上記表示部が上記透明フィルムにより被覆された状態で上記収容本体の外面に形成されることを特徴とするゴルフボール収納容器。
〔２〕上記ゴルフボール収納容器が紙材からなる箱状又は筒状である請求項１記載のゴルフボール収納容器。
〔３〕上記インクジェットプリンタに用いられるインクが顔料インクである請求項１又は２記載のゴルフボール収納容器。
〔４〕上記インク受容層が単層又は複数層の吸水性フィルムからなる請求項１〜３のいずれか１項記載のゴルフボール収納容器。
〔５〕上記インク受容層の基材がポリエチレンテレフタレートである請求項４記載のゴルフボール収納容器。
〔６〕両面が粘着性を有する透明シートの一面側に上記透明フィルムのインク受容層側の面を貼着すると共に、上記透明シートの他面側に上記収納容器本体の外面を貼着することにより、上記透明フィルムのインク受容層側の面と上記収納容器本体の外面とを上記透明シートを介在して接着する請求項１〜５のいずれか１項記載のゴルフボール収納容器。
【発明の効果】
【０００７】
本発明のゴルフボール収納容器によれば、収納容器本体の外面に対して需要が少ない個人向けの文字，図柄等の表示部を簡単かつ迅速に印刷することができ、かかる作業コストが安価なものであり、所望の表示部が表示されたゴルフボール収納容器は高品質なものである。
【発明を実施するための最良の形態及び実施例】
【０００８】
以下、本発明の実施の形態及び実施例につき、図１〜５を参照して説明する。
本発明のゴルフボール収納容器は、紙や各種プラスチックからなる箱状又は筒状である収納容器である。その一例として、図１及び図２にゴルフボール用箱を示した。図１に示したゴルフボール用箱は、ゴルフボールを１〜３個収容するための直方体状の小箱１である。また、図２にしたゴルフボール用箱は、上記の小箱１を複数個収納する箱本体２及びこの上端開放部を覆う蓋体３とからなる大箱４である。
【０００９】
これらゴルフボール用箱の材料としては、厚紙、フィルムコート紙やポリエチレンテレフタレート、ポリプロピレン等の各種プラスチックを採用することができ、一般には厚紙が用いられる。
【００１０】
上記ゴルフボール用箱においては、小箱１，大箱４及び蓋体３等の収納容器本体の外面に対して、印刷による文字や図柄等の所定の表示部Ｘ（インク層）が形成される。この文字や図柄については、特に図示していないが、インクジェットプリンタにより印刷されるものである。本発明では、特に、オンデマンドの要求による需要が少ない個性のある図柄等を印刷する場合に有効である。
【００１１】
本発明に用いられるインクジェットプリンタとしては、印刷する対象物の大きさに応じて公知のインクジェットプリンタの中から適宜選択することができる。なお、インクジェットプリンタとしては、インク滴を吐出する観点から、バブルジェット方式やサーマルジェット方式及びピエゾ方式等のドロップオンデマンド方式やヘルツ式，ミード方式及びスウィート方式等の連続噴射方式などを例示することができる。
【００１２】
具体的には、図３に示されるように、基材１０１の外面にインク受容層１０２が形成された透明フィルム１００を媒体搬送トレー３０の上に載置させ、インクジェットヘッド４１を備えた印刷ユニット４０の印刷位置を経由させて搬送することにより、上記透明フィルム１００のインク受容層１０２上に所定表示部の印刷を行なうものである。
【００１３】
なお、上記インクジェットプリンタは、パーソナルコンピュータに接続して、該コンピュータによる画像ソフトを使用して所望の表示部の画像データを作成し、該画像データをインクジェットプリンタへ出力して所望の表示部を印刷することができる。本発明では、所望の画像を左右反転した逆画像データを画像ソフトにより作成し、この画像データを出力してインクジェットプリンタにより逆画像を透明フィルムのインク受容層上に印刷し、該透明フィルムの受像層側の面を収納容器本体の外面に接着することにより、正画像である所望の表示部を収納容器本体の外面に形成するものである。左右反転した逆画像の作成については、コンピュータによる画像処理により所望の表示部を左右反転させて容易に作成することが可能である。
【００１４】
上記インクジェットプリンタに使用されるインジェットインクとしては、特に制限はないが、水性染料、水性顔料、油性顔料、水性熱硬化型アクリル顔料、溶剤型顔料、紫外線硬化型顔料などを使用することができるが、通常は、顔料インクを使用することが好適である。また、染料を用いる場合には、透明フィルム及びインク受容層の少なくとも一面に紫外線吸収剤を使用することが好ましく、更には、光安定剤を併用することが好適である。
【００１５】
上記透明フィルムの基材としては、透明性を付与する公知の樹脂材料、特に熱可塑性樹脂、例えば、ポリエチレン、ポリプロピレン、ポリエチレンテレフタレート及びポリエステル樹脂等を採用することができる。
【００１６】
上記インク受容層の主材としては、具体的には、ポリビニルアルコール、ポリウレタン、ポリアクリルアミド、ポリビニルピロリドン、ゼラチン、カルボキシメチルセルロース等の水溶性セルロース誘導体、ポリアクリル酸及びその変性物、ポリアルキレンオキサイド及びその変性物等が挙げられる。
【００１７】
上記インク受容層には、上記の主材のほかに、多孔質シリカやアルミナ等を含有することができ、必要に応じて、各種の界面活性剤や各種の定着剤等を添加することもできる。また、上記インク受容層に多孔質顔料を使用する場合には、当該顔料の平均粒径が２〜１５μｍ、比表面積が１２０〜５００ｍ2／ｇ、及び給油量が１５０ｍｌ／１００ｇ以上であることが好ましい。更に、上記インク受容層は、熱により溶融することにより粘着性を発現するような機能を有する受容層用組成物を材料とすることが好適である。
【００１８】
一面にインク受容層が形成された透明フィルムとしては、特開２００４−２１６５７０号公報に記載された、吸水性樹脂を主成分とするインク受容層を一面に有するフィルムを用いることが好ましく、具体的には、市販されているフィルム（商品名「プリメイクＨＬ」三菱樹脂株式会社製）を使用することが好適である。
【００１９】
上記ゴルフボール用箱の所定の位置に上記透明フィルムを接着する接着時においては、ゴルフボール用箱の一面と透明フィルムの印刷面とを対向させて貼り合わせを行い、必要に応じて、各種の粘着剤を介在させて上記の貼り合わせを行なうことが好適である。また、上記インク受容層がホットメルト性又はヒートシール性を有する場合には、ホットラミネート機を使用することにより容易に貼り合わせを行うことができる。
【００２０】
また、両面が粘着性を有する透明シートを用い、該透明シートの一面側に上記透明フィルムのインク受容層側の面を貼着すると共に、上記透明シートの他面側に上記収納容器本体の外面を貼着することにより、上記透明フィルムのインク受容層側の面と上記収納容器本体の外面とを上記透明シートを介在して貼り合わせを行なうこともできる。
【００２１】
［実施例１］
所定の文字、図形を画像ソフトにより作成し、得られた画像データを左右反転させ、この逆画像のデータに基いてインクジェットプリンタ「ＰＭ４０００ＰＸ」（エプソン社製（）により透明フィルムを記録媒体として印刷した。
【００２２】
上記透明フィルムとして商品名「プリメイクＨＬ」（三菱樹脂株式会社製）を使用した。この透明フィルムは、基材としてポリエチレンテレフタレートフィルムが用いられており、図４に示すように、該基材１０１の一面には熱可塑性樹脂を基材としたインク受容層１０２が積層された透明フィルム１００である。
【００２３】
次に、ヒートラミネート機を使用して、上記インク受容層１０２の熱可塑性樹脂を熱融解させてゴルフボール用箱の紙材１ａに透明フィルム１００のインク受容層側の面をヒートシールした。
【００２４】
［実施例２］
所定の文字、図形を画像ソフトにより作成し、得られた画像データを左右反転させ、この逆画像のデータに基いてインクジェットプリンタ「ＰＭ４０００ＰＸ」（エプソン社製）により透明フィルムを記録媒体として印刷した。なお、上記透明フィルムは商品名「クイックアート  ＬＳＳＡ３−Ｃ」（（有）クイックアート製）である。
【００２５】
透明性を有する両面粘着紙（上記の商品名クイックアートに付属する製品）の片側面に上記透明フィルムを貼り付け、適当に切り抜いた。文字、図形が印刷されたシールの片側の粘着面をゴルフボール用容器の外面１ｂに貼り付けて図５の積層構造を形成した。図５中、符号２００が両面粘着紙である。
【００２６】
実施例１及び実施例２で得られたゴルフボール用箱の表示部Ｘは、いずれも鮮明であり高品質なものであった。特に、箱表面に表示部（インク層）が露出することなく透明フィルムで覆われているので表示部の耐久性に優れていた。
【００２７】
以上、本発明につき上記実施例を示して説明したが、本発明のゴルフボール収納容器は、上記実施例に限定されるものではなく、その要旨を変更しない限り、その構成を適宜変更することができる。例えば、印刷が全体面に施されるものであれば、厚紙の状態でラミネートし、箱型に打ち抜いた後、立体物の組み立てを行なうこともできる。
【図面の簡単な説明】
【００２８】
【図１】本発明の一実施例に係るゴルフボール収納容器（ゴルフボール用箱）の斜視図である。
【図２】本発明の他の実施例に係るゴルフボール収納容器（ゴルフボール用箱）の斜視図である。
【図３】インクジェットプリンタにより透明フィルムのインク受容層上に表示部（逆画像）を印刷する様子を説明するための説明図である。
【図４】実施例１における収納容器本体の外面に表示部（インク層）が形成された積層構造を示す部分断面図である。
【図５】実施例２における収納容器本体の外面に表示部（インク層）が形成された積層構造を示す部分断面図である。
【符号の説明】
【００２９】
１      収納容器本体（小箱）
４      収納容器本体（大箱）
Ｘ      表示部（インク層）
１００  透明フィルム
１０１  透明フィルム基材
１０２  インク受容層
２００  両面粘着紙
【図１】
2006082860.tif 000003
【図２】
2006082860.tif 000004
【図３】
2006082860.tif 000005
【図４】
2006082860.tif 000006
【図５】
2006082860.tif 000007